(57)【要約】      （修正有）【課題】紫外線照射手段と高張力の揚送ベルトを用いても、高い揚送力を確保できる玉揚送洗浄装置を提供する。【解決手段】玉揚送洗浄装置1は、無端状の揚送ベルト部材110と玉ガイド部材120との間に玉2を挟持しながら揚送する玉揚送機構100、および玉に紫外線照射を行なう紫外線照射手段200を備える。玉ガイド部材120は、紫外線照射手段200を収容するボックス130と、ボックス130に間隔を置いて回動自在に垂設される複数の丸棒状のガイドレールと、ガイドレールを付勢するガイドレール押付部材とから構成される。ガイドレール押付部材は、複数の板ばね、板ばね固定部材、ガイドレール保持部材、ガイドレール係止部材を備える。ガイドレール保持部材は、ガイドレールが遊貫する筒状部と、筒状部の一方から延出し、ガイドレール係止部材に遊架される首部と、首部から左右直角に延出し、板ばねの当接面となる基部とを備える。【選択図】図１
2007289652.tif 000002
【特許請求の範囲】
【請求項１】
上下方向に循環する無端状の揚送ベルト部材と玉ガイド部材との間に玉を挟持しながら揚送する玉揚送機構、および前記揚送ベルト部材と対抗する位置に配置され、玉に紫外線照射を行なう紫外線照射手段を備えた玉揚送洗浄装置において、
前記玉ガイド部材は、前記紫外線照射手段を収容するボックスと、該ボックスの揚送ベルト部材側に間隔を置いて回動自在に並列して垂設される複数の丸棒状のガイドレールと、ガイドレール長手方向に対して間隔を置いて配置され、該ガイドレールを揚送ベルト部材側へ付勢するガイドレール押付部材とから構成され、
前記ガイドレール押付部材は、各ガイドレールを個別に押圧する複数の板ばねと、該板ばねを前記ボックスへ一体に係止する板ばね固定部材とを備えることを特徴とする、前記玉揚送洗浄装置。
【請求項２】
前記ガイドレール押付部材は、ガイドレールを水平方向へ揺動可能とすることを特徴とする請求項１に記載の玉揚送洗浄装置。
【請求項３】
前記ガイドレール押付部材は、さらに前記ガイドレールを遊貫状態で保持するガイドレール保持部材と、該ガイドレール保持部材を前記ボックスへ係止するガイドレール係止部材とを備え、該ガイドレール保持部材は、ガイドレールが遊貫する筒状部と、該筒状部の一方から延出し、ガイドレール係止部材に遊架される首部と、該首部から左右直角に延出し、前記板ばねの当接面となる基部とを備えることを特徴とする、請求項２に記載の玉揚送洗浄装置。
【請求項４】
前記ガイドレール押付部材の縦方向の間隔は、玉ガイド部材の横幅の0.5〜5倍であることを特徴とする、請求項１、２または３に記載の玉揚送洗浄装置。
【請求項５】
さらに、前記玉揚送機構の揚送経路内のオゾン濃度を調整するオゾン調整手段を備えることを特徴とする、請求項１〜４のいずれか一項に記載の玉揚送洗浄装置。
【請求項６】
前記オゾン調整手段は、揚送ベルト部材と玉ガイド部材との間隙に作られる揚送経路の上方に連通する排気ダクト、オゾン除去フィルタおよび末端に位置する排気ファンで構成されるオゾン処理装置を含むことを特徴とする、請求項５に記載の玉揚送洗浄装置。
【請求項７】
前記オゾン調整手段は、さらに、紫外線照射手段近傍に位置するオゾン供給装置を含む、請求項６に記載の玉揚送洗浄装置。
【発明の詳細な説明】
【技術分野】
【０００１】
本発明は、玉揚送洗浄装置に関し、より詳細には遊技場等に設置される玉循環供給システム内に使用され、揚送中の玉に紫外線を照射することにより玉の洗浄を行なう玉揚送洗浄装置に関する。
【背景技術】
【０００２】
遊技場で使用されるパチンコ玉等の剛球（以下、単に「玉」という）は、通常、遊技場内の玉送路や揚送装置を通って循環使用される。使用を繰り返すうちに、玉にはさまざまな汚れが付着、堆積する。これによって、遊技台盤面等が汚れる、盤面上での玉の流下が滑らかでなくなる、玉送路内の玉流れが滞る等の問題が発生する。
【０００３】
循環する玉をオンラインで洗浄する方式として、遊技場のスペースを有効活用する観点から、図７の従来の玉循環供給システムの中央に位置する玉揚送部3の内部に洗浄機構を組み込んだ揚送洗浄装置が普及している。揚送洗浄装置の発明もまた多く存在し、例えば実開平4-126589号公報（特許文献１）、特開平9-66162号公報（特許文献２）等が挙げられる。これらの揚送洗浄装置では、上下方向に張架された無端揚送ベルトと研磨布または研磨ブラシとの間に玉が挟持され、揚送ベルトの回転によって、玉が搬送される。その途中で、研磨布や研磨ブラシが玉を研磨する。
【０００４】
上記従来の揚送洗浄装置では、研磨布や研磨ブラシに玉の汚れが転着して、堆積されるため、汚れた研磨布や研磨ブラシを定期的に交換、洗浄する必要があり、これには多くの手間と時間がかかる。
【０００５】
上記の問題を解消するために、実開昭59-38985号公報（特許文献３）や特開2006-128号公報（特許文献４）では、玉揚送時に紫外線照射手段により紫外線を照射して玉を洗浄する方式の玉揚送洗浄装置が提案されている。揚送ベルトに同伴される玉の有機物系汚れは、紫外線の有機物分解作用によって除去される。
【特許文献１】実開平4-126589号公報の図１
【特許文献２】特開平9-66162号公報
【特許文献３】実開昭59-38985号公報の第１図
【特許文献４】特開2006-128号公報
【発明の開示】
【発明が解決しようとする課題】
【０００６】
紫外線照射手段を用いるこれらの装置では、紫外線照射手段に対向する位置に配設された揚送ベルトにも紫外線が照射される。したがって、紫外線によって揚送ベルトの劣化が起こり易いという問題があった。これは、揚送ベルトをテフロン（登録商標）のような耐紫外線素材で構成すれば対処可能である。しかし、耐紫外線素材を用いると、揚送ベルトの張力が増してしまうため、玉に対する揚送力が低下するという新たな問題が生じる。
【０００７】
そこで、本発明は、紫外線照射手段を用いる玉揚送洗浄装置において、揚送ベルトに高張力の素材を用いても、高い揚送力を確保することのできる玉揚送洗浄装置を提供することにある。
【課題を解決するための手段】
【０００８】
本発明者等は、上記課題を鋭意検討した結果、以下の発明により解決できることを見出した。すなわち、本発明は、上下方向に循環する無端状の揚送ベルト部材と玉ガイド部材との間に玉を挟持しながら揚送する玉揚送機構、および前記揚送ベルト部材と対抗する位置に配置され、玉に紫外線照射を行なう紫外線照射手段を備えた玉揚送洗浄装置において、前記玉ガイド部材は、前記紫外線照射手段を収容するボックスと、該ボックスの揚送ベルト部材側に間隔を置いて回動自在に並列して垂設される複数の丸棒状のガイドレールと、ガイドレール長手方向に対して間隔を置いて配置され、該ガイドレールを揚送ベルト部材側へ付勢するガイドレール押付部材とから構成され、前記ガイドレール押付部材は、各ガイドレールを個別に押圧する複数の板ばねと、該板ばねを前記ボックスへ一体に係止する板ばね固定部材とを備えることを特徴とする前記玉揚送洗浄装置を提供する。
【０００９】
上記前記ガイドレール押付部材は、ガイドレールを水平方向へ揺動可能とすることが好ましい。
【００１０】
前記ガイドレール押付部材は、前記ガイドレールを遊貫状態で保持するガイドレール保持部材と、該ガイドレール保持部材を前記ボックスへ係止するガイドレール係止部材をさらに備え該ガイドレール保持部材は、ガイドレールが遊貫する筒状部と、該筒状部の一方から延出し、ガイドレール係止部材に遊架される首部と、該首部から左右直角に延出し、前記板ばねの当接面となる基部とを備えることが好ましい。
【００１１】
前記ガイドレール押付部材の縦方向の間隔は、玉ガイド部材の横幅の0.5〜5倍であることが好ましい。
【００１２】
本発明の玉揚送洗浄装置は、さらに、前記玉揚送機構の揚送経路内のオゾン濃度を調整するオゾン調整手段を備えることが好ましい。該オゾン調整手段とは、揚送経路内のオゾン濃度を一定にする機能を有する。
【００１３】
該オゾン調整手段は、具体的には、揚送ベルト部材と玉ガイド部材との間隙に作られる揚送経路の上方に連通する排気ダクト、オゾン除去フィルタおよび末端に位置する排気ファンで構成されるオゾン処理装置を含む。
【００１４】
該オゾン調整手段は、さらに、紫外線照射手段近傍に位置するオゾン供給装置を含むことが好ましい。該オゾン供給装置は、揚送装置内のオゾンを適当な濃度となるようにオゾンを供給する。
【発明の効果】
【００１５】
請求項１に記載の玉揚送洗浄装置によれば、丸棒状のガイドレールを回動自在としたため、揚送ベルトの玉に対する余分な押圧力をガイドレールの回転方向へ逃がすことができ、その結果、揚送力が向上する。また、照射方向へ玉が回転しやすいので、紫外線照射効率の向上と高い洗浄力が達成される。丸棒状の回転するガイドレールには、玉による偏摩耗を防ぐという利点もある。
【００１６】
請求項２に記載の玉洗浄装置によれば、ガイドレール押付部材がガイドレールを水平方向へ揺動可能としたので、玉が揚送ベルトとガイドレールとの間に挾持されたときに、高張力ベルトを用いても高い揚送力が確保される。
【００１７】
請求項３に記載の玉揚送洗浄装置によれば、ガイドレール押付部材は、前記ガイドレールを遊貫状態で保持するガイドレール保持部材と、該ガイドレール保持部材を前記ボックスへ係止するガイドレール係止部材とをさらに備え、該ガイドレール保持部材は、ガイドレールが遊貫する筒状部と、該筒状部の一方から延出し、ガイドレール係止部材に遊架される首部と、首部から左右直角に延出し、前記板ばねの当接面となる基部とを備える。ガイドレールに板ばねの押付力が付与されても、筒状部による遊貫によってガイドレールの回動が維持される。また、玉が揚送ベルトとガイドレールとの間に挾持されたときに、首部がガイドレール係止部材に所定のクリアランスをもって遊架されることによって、ガイドレールがガイドレール保持部材とともに水平方向に揺動可能となる。両作用によって、高張力の揚送ベルトが採用されても、揚送力が確実に保持される。
【００１８】
請求項４に記載の玉揚送洗浄装置によれば、ガイドレール押付部材の玉ガイド部材縦方向の間隔は、玉ガイド部材横幅の0.5〜5倍に規定されるので、少ない数のガイドレール押付部材で、ガイドレールを効率よく安定して固定することができる。
【００１９】
請求項５に記載の玉揚送洗浄装置によれば、玉揚送機構の揚送経路内のオゾン濃度を調整するオゾン調整手段が付設されているので、揚送経路内のオゾン濃度が一定に保たれ、適当濃度のオゾンが紫外線洗浄の効果を高め、そして過剰のオゾンが環境へ散逸することが回避する。
【００２０】
請求項６の玉揚送洗浄装置によれば、揚送ベルト部材と玉ガイド部材との間隙に作られる揚送経路の上方に連通する排気ダクト、オゾン除去フィルタおよび末端に位置する排気ファンで構成されるオゾン処理装置を含む。オゾン処理装置を上方に設置することで、オゾンを回収するための排気ファンなどを小型化、省エネ化するとともに、オゾン回収率を向上させることができる。
【００２１】
請求項７の玉揚送洗浄装置によれば、さらに、紫外線照射手段近傍に位置するオゾン供給装置を含む。該オゾン供給装置は、揚送経路内のオゾン濃度を適当なレベルに維持することで、紫外線洗浄の効果を高める。
【発明を実施するための最良の形態】
【００２２】
以下、本発明の玉揚送洗浄装置の一実施態様を、添付の図面を用いて詳しく説明する。図６は、既存の玉循環供給システム10に本発明の玉揚送洗浄装置1を組み込んだときの全体斜視図を示している。すなわち、パチンコ遊技場の玉循環供給システム10は、複数の遊技台11が並置されて一つの島12を形成している。島12の各遊技台11で使用された玉2は、遊技台下部のドブ13に集められ、ドブ出口14に連通した揚送装置入口15に送られ、次いで揚送洗浄装置1を通って揚送装置出口16から補給タンク17に送られ、補給タンク17から自然傾斜を持たせたトヨ18に流下し、再び各遊技台11の貯留タンクに供給されるようになっている。
【００２３】
図１に、本発明の玉揚送洗浄装置1の斜視図を示す。玉揚送洗浄装置1は、ハウジング20内に玉揚送機構100および紫外線照射手段200を備える。
【００２４】
ハウジング20は、玉揚送機構100および紫外線照射手段200を収容するために、一体形成されるが、上記部材の設置や交換のために、一面が開口した長尺状のハウジング20Aと20Bとに二分割可能である。図１のＡは、ハウジング20を開けた状態であって、主にメンテナンス等のために玉揚送洗浄装置1を休止しているときの状態である。一方、図１のＢは、同部分を閉じた状態であって、主に玉揚送洗浄装置1を運転している状態を示している。
【００２５】
紫外線照射手段200は、揚送ベルト部材110と対抗する位置に配置され、玉2に対して紫外線照射を行なうためにある。紫外線照射手段200は、波長域130〜240ｎｍ、好ましくは170〜200ｎｍと、波長域200〜300ｎｍ、好ましくは240〜260ｎｍとにおいて発光スペクトルを有する。
【００２６】
紫外線は、広い波長域において光化学反応により有機物を分解する作用を有するが、紫外線を利用して得られるオゾンおよび活性酸素は、プラスチック系の有機物を迅速に酸化分解する。波長130〜240ｎｍのエネルギーの高い紫外線は、空気中の酸素に効率よく吸収され、酸素をオゾンに変える作用を有する。一方、200〜300ｎｍの波長の比較的長い紫外線は、生成したオゾンに効率よく吸収され、特に光吸収の係数は240〜260ｎｍで最大となり、オゾンを活性酸素に変える。したがって、上記二帯域に発光ピークを有する紫外線照射手段200を用いると、玉に付着したプラスチック系有機物の汚れを効率よく除去することができる。
【００２７】
紫外線照射手段200の具体的な候補としては、低圧水銀ランプ、高圧水銀ランプ、メタルハライドランプ、エキシマランプ、パルスドキセノンランプ等がある。なお、ランプの形状は、設置形態に応じて直管型、Ｕ字型、Ｎ字型、Ｗ字型、グリッド型等が適宜採用される。
【００２８】
玉揚送洗浄装置1では、図２に示すように紫外線照射手段200をボックス130内であってガイドレール140の裏面に設けている。その設置手順を図１および２を用いて説明すると、ハウジング20Bの裏面を長手方向に開放し、開放面を覆うように横断面コの字状のボックス130を嵌挿し、ハウジング20Bおよびボックス130の側面同士を螺着する。ボックス130の取り外しは、紫外線照射手段200に故障やメンテナンスの必要が生じたときに、紫外線照射手段にアクセスするのに都合がよい。また、ボックス130を外した状態では、ガイドレール140の背面から玉2の揚送状態を視認しやすいため、図３に示すガイドレール押付部材150、特に板ばね180の調整等に便利である。
【００２９】
ボックス130の内面に、紫外線照射手段200のサポート201を螺着する（図２では幅方向に2列）。サポート201は、紫外線照射手段200の形状と相似であってやや小さめに形状記憶された薄肉金属製である。紫外線照射手段200の設置方法は、紫外線照射手段200を嵌め込んだボックス130をハウジング20Bの所定位置に固定すればよい。
【００３０】
玉ガイド部材120を納めたハウジング20Bを、揚送ベルト部材110を納めたハウジング20Aに対して開閉自在とするために、ハウジング20Aおよび20Bの両側面を複数の蝶番22で連結する。玉揚送洗浄装置1の休止時には、図１Ａのように、蝶番22の支点を中心にハウジング20Bを開扉することによって、揚送ベルト部材110の装着、交換等のメンテナンスが容易となる。
【００３１】
本発明の玉揚送洗浄装置1は、図５に示すようなオゾン調整手段300を付設することが好ましい。該オゾン調整手段300は、揚送経路内のオゾン濃度を一定に保つために、オゾン処理装置を含み、さらにオゾン供給装置を含むことが好ましい。オゾン処理装置は、過剰のオゾンが環境へ散逸することを防止し、オゾン発生装置は、適当な濃度のオゾンを紫外線照射手段へ供給することで、紫外線洗浄の効果を高めることに寄与する。
【００３２】
該オゾン処理装置310は、揚送ベルト部材110と玉ガイド部材120との間隙に作られる揚送経路の上方に連通する排気ダクト311、オゾン除去フィルタ312および末端に位置する排気ファン313で構成される。該オゾン処理装置310は、紫外線照射手段200で作られたオゾンや有機物分解ガスを吸引処理する。オゾン除去フィルタ312は、汎用のものを特に制限なく使用でき、例えば、活性炭やオゾン分解触媒が充填された不織布、ハニカム状、またはセラミック状のものである。
【００３３】
オゾンは空気よりも重いため、オゾンをその発生場所よりも下方から抜くのが一般的である。しかし、本発明では、玉揚送および紫外線照射によって発生する熱により揚送経路内に上昇気流が発生する傾向にあることに着目し、オゾン処理装置310を上方に設置している。これにより、オゾンを回収するための排気ファン313などを小型化、省エネ化するとともに、オゾン回収率を向上させることができる。
【００３４】
オゾン供給装置は、紫外線照射手段200の近傍に設置される（図示せず）。該オゾン供給装置は、汎用のオゾン発生器でよい。オゾン供給装置により発生するオゾンを紫外線照射手段200の近傍へ供給すると、プラスチック等の有機物を分解する活性酸素の供給源となるので、紫外線洗浄の効果がより一層高まる。
【００３５】
玉揚送機構100は、上下方向に循環する無端状の揚送ベルト部材110と玉ガイド部材120とからなり、両部材間に玉2を挟持しながら揚送する機能を有する。
【００３６】
揚送ベルト部材110は、前記ハウジング20A側に収められ、より詳細には、揚送ベルト部材110の上下端に一対の図示しない回転ローラが軸承され、下部回転ローラには駆動用モータ21が連結される。両回転ローラ間に前記揚送ベルト部材110が張架され、揚送ベルト部材110の上昇側面が前記ハウジング20Aの開口面側となる。
【００３７】
揚送ベルト部材110には、玉ガイド部材120との間に挟持される玉2が滑落せず、かつ耐紫外線性を有する材質と構造を有するものが使用され、例えばテフロン（登録商標）が使用される。
【００３８】
揚送ベルト部材110の下部は、島のドブ出口14と連通する揚送装置入口15が位置し、一方、揚送ベルト部材110の上部は、補給タンク17と連通する揚送装置出口16が位置する。
【００３９】
玉揚送機構100を構成する玉ガイド部材120は、前記揚送ベルト部材110の上昇側ベルトと対面する位置にあるハウジング20B内に収容される。そして、前記上昇側ベルトと等距離を置いて対面し、揚送ベルト部材110により搬送される玉2が逃げないように片側から支持する。
【００４０】
玉ガイド部材120は、図２に示すように、断面コの字状のボックス130と、揚送ベルト部材110側に対面して横方向に間隔を置いて回動自在に垂設される複数の丸棒状のガイドレール140と、ガイドレール長手方向に対して間隔を置いて配置され、該ガイドレール140を揚送ベルト部材110側へ付勢するガイドレール押付部材150とから構成される。
【００４１】
揚送される玉2の片側を支持する複数のガイドレール140は、縦長の丸棒状の部材である。ガイドレール140の材質は、耐紫外線素材であり、かつ、揚送される玉2を支持するに足る剛直性があれば特に制限されず、通常は、金属であり、特にステンレスが好ましい。
【００４２】
ガイドレール140は、図３に示すように、複数のガイドレール押付部材150の補助によって、ボックス130の開口側（揚送ベルト側）の揚送ベルト部材110と対向する位置に垂直に回動自在に保持される。ガイドレール140の回動状態は、上下端が自由のパイプ（例えば5mmφ）が、上下端を固定したロッド141（例えば3mmφ）に装着されることによって維持される。ガイドレールの本数は、玉揚送洗浄装置1の揚送ベルト幅に依存するが、通常、3〜20（図３では8本）である。
【００４３】
隣接するガイドレール140同士によって形成されるスリット142が、玉2を一個ずつ整列させながら揚送する経路を提供する。スリット幅は、揚送途中の玉2がスリット142から漏れ出ないように玉2の大きさよりも小さい。スリット142は、また、紫外線照射手段200から発せられる紫外線の導入路を形成する。
【００４４】
図４に、玉ガイド部材120と揚送ベルト部材110との間に玉2を挟持して揚送する揚送部の部分拡大断面図を示す。揚送ベルト部材110と玉ガイド部材120との間隔は、揚送玉2の一個分の距離よりもやや短い。
【００４５】
ガイドレール押付部材150は、ガイドレール140を遊貫状態で保持するガイドレール保持部材160と、該ガイドレール保持部材160を前記ボックス130へ係止するガイドレール係止部材170と、該ガイドガイドレール保持部材160に接する板ばね180と、該板ばね180を前記ボックス130へ一体に固定するための板ばね固定部材190とから構成される。
【００４６】
ガイドレール保持部材160は、ガイドレールが遊貫する筒状部161と、該筒状部161の一方から延出し、ガイドレール係止部材170に遊架される首部162と、首部162から左右直角に延出し、板ばね180の当接面となる基部163とを備える。
【００４７】
筒状部161と内挿されるガイドレール140とのクリアランスは、通常、0.05〜0.8mmであり、好ましくは0.1〜0.5mmである。間隔が0.05mmよりも狭く、逆に0.8mmより広くても、玉の揚送が難しくなる。
【００４８】
ガイドレール係止部材170は、図２に示すとおり、断面コの字形の板材であり、両端部がボックス130に螺子で固定されている。ガイドレール係止部材170のガイドレール側前面は、板ばねの首部162が所定のクリアランスをもって遊架されるように、複数の切り欠き部171が櫛状に設けられている。
【００４９】
所定のクリアランスは、通常、0.2〜0.8mmであり、好ましくは0.3〜0.6mmである。クリアランスが0.2mmよりも狭いと、クッションにならず、逆に0.8mmより広いと、玉の揚送が難しくなる。
【００５０】
板ばね180は、板ばね固定部材190とガイドレール保持部材160の基部163との間に設置されて、ガイドレール保持部材160をガイドレール方向へ付勢する。
【００５１】
板ばね固定部材190は、図２に示すとおり、断面コの字形の板材であり、両端部がボックス130に螺子で固定されている。板ばね固定部材190のガイドレール側前面には、板ばね180が適宜の手段で脱着自在に固定される。
【００５２】
ガイドレール押付部材150の縦方向の間隔(図３のＹ)は、通常、玉ガイド部材120の横幅（図３のＸ）の0.5〜5倍であり、好ましくは1〜2倍である。倍率が、0.5倍より小さいと、ガイドレール押付部材150を過度に多く設置することになる。逆に、5倍よりも大きいと、ガイドレール140が撓み易くなり、玉の揚送効率が低下する。
【００５３】
次に、玉揚送洗浄装置1の動作について説明する。図６に示す玉循環供給システム10内に設置された本発明の玉揚送洗浄装置1において、循環する玉2は、回動自在なガイドレール140によって四方に回転しながら、そして水平方向に揺動可能なガイドレール保持部材160によってベルト部材110に対する押圧力が緩衝されながら揚送される。
【００５４】
玉2は、揚送途中に紫外線照射手段200から紫外線を浴び、紫外線ならびに紫外線により発生するオゾンおよび活性酸素によって玉表面に付着したプラスチック成分を含む有機物が分解され、かつ殺菌される。
【００５５】
紫外線の照射時間は、必要な紫外線露光量に応じて決められる。図６に示す玉循環供給システム10の場合、玉2は系内を何度も循環し、しかも本発明の玉揚送洗浄装置では清浄化効果が長持ちするので、紫外線照射手段200で玉を一度に洗浄する必要はない。具体的には、一回の照射時間が、通常、0.3秒以上、好ましくは１秒以上、さらに好ましくは10秒以上でも、洗浄効果が得られる。0.3秒よりも短すぎると、清浄化効果よりも系から拾う汚れの量の方が増す場合があり得る。なお、一回で洗浄効果を得るには、通常、15秒以上、好ましくは30秒以上、さらに好ましくは３分以上の照射時間を設けるのがよい。
【００５６】
このとき、玉揚送機構100において、ガイドレール140と揚送ベルト部材110とによって形成される揚送路が狭すぎると玉の停滞を招き、駆動モータ１１にも大きな負荷がかかる。逆に広すぎても、玉2が揚送経路を登ってゆかない。それを回避するために、板ばね180は、玉2がガイドレール140とベルト部材110との間に、停滞せず滑り落ちない程度の付勢力をもってガイドレール140をベルト部材110側へ押し付ける。
【００５７】
複数の板ばね180がガイドレール140毎に設けられるため、ガイドレール押付部材150の横幅方向の微妙な調整（自動的に撓む）が可能になる。これは、ガイドレール140の長期間使用でガイドレール140が磨耗したときに、ガイドレール押付部材150の各ガイドレールの押付力のバランスを取るのに有効である。
【００５８】
筒状部161は、ガイドレール140を遊貫状態で保持するので、ガイドレール140に板ばねの押付力が付与されても、ガイドレール140の回動は維持される。ガイドレール140の回動は、高張力のベルト部材110が玉２へ働きかける押圧力を横方向へ逃がし、玉２の揚送が減退するのを防止するのに有効である。また、ガイドレール140の回動は、玉２の横方向への回転を促すことにより、玉に紫外線が万遍なく当たるようになるので、洗浄力の向上にも寄与する。
【００５９】
ガイドレール保持部材160の首部162が、ガイドレール係止部材170の切り欠き部171に所定のクリアランスをもって遊架されることによって、ガイドレール保持部材160は、ガイドレール140水平方向へ所定のクリアランス分だけ揺動可能にボックス130に係止される。これにより、玉2が揚送ベルト部材110とガイドレール140との間に挾持されたときに、高張力のベルト部材を用いても、高い揚送力を確保することができる。
【図面の簡単な説明】
【００６０】
【図１】本発明の実施形態に従う玉揚送洗浄装置の配置を示す斜視図である。
【図２】図１の玉揚送洗浄装置の断面を拡大した横断面図である。
【図３】図１の玉揚送洗浄装置の玉ガイド部材の全体を示す正面図である。
【図４】図３に示した玉ガイド部材の一部を拡大した縦断面図である。
【図５】図１の玉揚送洗浄装置に付設するオゾン調整手段の拡大図（Ａは平面図、Ｂはその正面図）である。図中の矢印はオゾンの流れる方向を示している。
【図６】図１の玉揚送洗浄装置を設置した玉循環供給システムの概略斜視図である。
【図７】従来の玉循環供給システムの概略斜視図である。
【符号の説明】
【００６１】
１        玉揚送洗浄装置
2        玉
3        揚送部
10      玉循環供給システム
11      遊技台
12      島
13      ドブ
14      ドブ出口
15      揚送装置入口
16      揚送装置出口
17      補給タンク
18      トヨ
20A    ハウジング
20B     ハウジング
21      駆動用モータ
22      蝶番
100     玉揚送機構
110     揚送ベルト部材
120     玉ガイド部材
130     ボックス
140     ガイドレール
141     ロッド
142     スリット
150     ガイドレール押付部材
160     ガイドレール保持部材
161     筒状部
162     首部
163     基部
170     ガイドレール係止部材
171     切り欠き部
180     板ばね
190     板ばね固定部材
200     紫外線照射手段
201     サポート
300     オゾン調整手段
310     オゾン処理装置
311     排気ダクト
312     オゾン除去フィルタ
313     排気ファン
【図１】
2007289652.tif 000003
【図２】
2007289652.tif 000004
【図３】
2007289652.tif 000005
【図４】
2007289652.tif 000006
【図５】
2007289652.tif 000007
【図６】
2007289652.tif 000008
【図７】
2007289652.tif 000009